(57)【特許請求の範囲】
【請求項１】
円筒状の筐体に、
空気を取り入れる吸込口と、
高圧空気を発生するための羽根車と前記羽根車を駆動するためのモータで構成された高圧空気発生手段と、
前記筐体の円形の所定の面に位置して設けられ、前記高圧空気を吹出すための吹出口と、
前記吸込口から取り入れた空気を前記高圧空気発生手段を介して前記吹出口に導く第一風路と、
前記吹出口から吹出す空気に誘引されて空気を吸込む、前記筐体の円周方向に等間隔に設けられた同一形状の複数の誘引空気吸込口と、
複数の前記誘引空気吸込口に吸込まれた空気を混合する誘引空気混合部と、
前記所定の面において前記吹出口よりも中心側に位置して設けられ、前記誘引空気混合部で混合された空気を吹出す誘引空気吹出口と、
前記誘引空気吸込口から前記誘引空気混合部を介して前記誘引空気吹出口を連通する第二風路と、
前記誘引空気吸込口の開口面積を変更する調節手段とを備えた送風装置。
【請求項２】
前記調節手段は、
全ての誘引空気吸込口においてそれぞれ同一面積を閉塞する請求項１に記載の送風装置。
【請求項３】
前記調節手段は、
円筒状に構成され、筐体の外周側においてスライドさせて誘引空気吸込口を覆うカバーであり、
前記カバーには、
前記誘引空気吸込口の開口面積以上であり、かつ前記開口面積と、隣接する２つの前記誘引空気吸込口に挟まれる前記筐体の側面の面積との合計よりは小さいカバー開口部が、前記カバーの円周方向に等間隔に前記誘引空気吸込口と同数個設けられている請求項２に記載の送風装置。
【発明の詳細な説明】
【技術分野】
【０００１】
本発明は、送風装置に関し、詳しくは、送風により清涼感を与えたり空間内の空気循環を促したりする送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風装置が知られている（例えば、特許文献１参照）。
【０００３】
以下、その送風装置について図１４および図１５を参照しながら説明する。
【０００４】
図１４は、送風機組立体１００をその正面図を、図１５は、送風機組立体１００の断面図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされている。モータ１２２は、電気接続部及び電源に接続され、複数個の選択ボタン１２０により、ユーザは、送風機組立体１００を操作することができる。
【０００５】
上記構成で、上述した送風機組立体１００は、以下のように動作する。すなわち、ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００６】
空気流は、これが口１１２に入る際に絞られ、そして口１１２の出口１４４のところで更に絞られる。この絞りにより、システム中に圧力が生じる。
【０００７】
このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００８】
【特許文献１】特開２０１０−０７７９６９号公報
【発明の概要】
【発明が解決しようとする課題】
【０００９】
このような従来の送風装置は、高圧空気の吹出口の下流領域にガイド部分１４８を備えることで、拡がった吹出風を実現させていた。しかし、気流を拡げるためにガイド部分１４８の角度を一定以上に大きく広げて設けようとすると、気流はガイド部分１４８に沿って流れなくなってしまう。つまり、一定以上に吹出風を拡げるには限界があった。また、この問題を解決するために、ガイド部分１４８の長さを吹出風の流れ方向に伸ばす必要が有り、それによって送風装置が大型化してしまうという課題があった。
【００１０】
そこで本発明は、上記従来の課題を解決するものであり、大型化させることなく従来よりも広範囲に送風できる送風装置を提供することを目的とするものである。
【課題を解決するための手段】
【００１１】
本発明は、円筒状の筐体に、空気を取り入れる吸込口と、高圧空気を発生するための羽根車と前記羽根車を駆動するためのモータで構成された高圧空気発生手段と、前記高圧空気を吹出すための吹出口と、前記吸込口から取り入れた空気を前記高圧空気発生手段を介して前記吹出口に導く第一風路と、前記吹出口から吹出す空気に誘引されて空気を吸込む、前記筐体の円周方向に等間隔に設けられた同一形状の複数の誘引空気吸込口と、複数の前記誘引空気吸込口に吸込まれた空気を混合する誘引空気混合部と、前記誘引空気混合部で混合された空気を吹出す誘引空気吹出口と、前記誘引空気吸込口から前記誘引空気混合部を介して前記誘引空気吹出口を連通する第二風路と、前記誘引空気吸込口の開口面積を変更する調節手段とを備えた送風装置であり、これにより所期の目的を達成するものである。
【発明の効果】
【００１２】
本発明によれば、誘引空気混合部に流入する空気量を調節することで、大型化させることなく従来よりも広範囲に送風できる送風装置を提供することができる。
【図面の簡単な説明】
【００１３】
【図１】本発明の実施の形態１の調節手段を未装着の状態の送風装置の斜視図
【図２】本発明の実施の形態１の内部部材の上方斜視図
【図３】本発明の実施の形態１の内部部材の下方斜視図
【図４】本発明の実施の形態１の内部部材の断面図
【図５】本発明の実施の形態１の送風装置を上面側から見た図
【図６】本発明の実施の形態１の送風装置を下面側から見た図
【図７】本発明の実施の形態１の調節手段の斜視図
【図８】本発明の実施の形態１の誘引空気吸込口を閉塞していない場合の送風装置の斜視図
【図９】本発明の実施の形態１の誘引空気吸込口を閉塞した場合の送風装置の斜視図
【図１０】本発明の実施の形態１の送風装置の断面図
【図１１】（ａ）  本発明の実施の形態１の誘引空気吸込口を閉塞していない場合の送風装置の吹出風の流れの模式図、（ｂ）  本発明の実施の形態１の誘引空気吸込口を閉塞した場合の送風装置の吹出風の流れの模式図
【図１２】本発明の実施の形態２の誘引空気吸込口を閉塞していない場合の送風装置の斜視図
【図１３】本発明の実施の形態２の誘引空気吸込口を閉塞した場合の送風装置の斜視図
【図１４】従来技術の一例を示す正面図
【図１５】従来技術の一例を示す断面図
【発明を実施するための形態】
【００１４】
本発明に係る送風装置は、円筒状の筐体に、空気を取り入れる吸込口と、高圧空気を発生するための羽根車と前記羽根車を駆動するためのモータで構成された高圧空気発生手段と、前記高圧空気を吹出すための吹出口と、前記吸込口から取り入れた空気を前記高圧空気発生手段を介して前記吹出口に導く第一風路と、前記吹出口から吹出す空気に誘引されて空気を吸込む、前記筐体の円周方向に等間隔に設けられた同一形状の複数の誘引空気吸込口と、複数の前記誘引空気吸込口に吸込まれた空気を混合する誘引空気混合部と、前記誘引空気混合部で混合された空気を吹出す誘引空気吹出口と、前記誘引空気吸込口から前記誘引空気混合部を介して前記誘引空気吹出口を連通する第二風路と、前記誘引空気吸込口の開口面積を変更する調節手段とを備えた送風装置である。これにより、送風装置を大型化させることなく従来よりも広範囲に送風できることが可能になる。
【００１５】
また、本発明に係る送風装置は、全ての誘引空気吸込口においてそれぞれ同一面積を閉塞する調節手段を設けてもよい。これにより、全ての誘引空気吸込口を閉塞しても、筐体の中心軸に関する吹出風の対称性を持たせることが可能になる。
【００１６】
また、本発明に係る送風装置は、前記調節手段は円筒状に構成され、筐体の外周側においてスライドさせて誘引空気吸込口を覆うカバーであり、前記カバーには、前記誘引空気吸込口の開口面積以上であり、かつ前記開口面積と、隣接する２つの前記誘引空気吸込口に挟まれる前記筐体の側面の面積との合計よりは小さいカバー開口部が、前記カバーの円周方向に等間隔に前記誘引空気吸込口と同数個設けてもよい。これにより、誘引空気吸込口や誘引空気吹出口の大きさに関わらず、使用者が吹出風の性質を任意に簡単に変更することが可能となる。
【００１７】
以下、添付図面を参照して、本発明の実施の形態につき説明し、本発明の理解に供する。なお、以下の実施の形態は、本発明を具体化した一例であって、本発明の技術的範囲を限定する正確のものではない。また、全図面を通して、同一の部位については同一の符号を付して説明を省略している。さらに、各図面において、本発明に直接には関係しない各部の詳細については説明を省略している。
【００１８】
（実施の形態１）
以下、本発明の実施の形態１について、図１から図９を参照しながらその構成の詳細を説明する。
【００１９】
図１に示すように、調節手段を未装着の状態の送風装置１１は、主筐体１２と、副筐体１３と、内部部材１４とを備える。
【００２０】
図１は調節手段を未装着の状態の送風装置の斜視図である。主筐体１２は、中空の円筒形をなしており、送風方向（矢印５０）を上方とした際、上面には円形の開口部を備えている。また、主筐体１２の側面には、高さ方向における中央付近に主筐体１２の外周壁から主筐体１２の中心軸に向かって、円周全体にわたり凹部５１が設けられている。
【００２１】
凹部５１は、主筐体１２の壁面の厚みの約半分程度の深さを有している。また、凹部５１の底面（主筐体１２の側面）には、長方形の誘引空気吸込口１９が複数個（本実施の形態１では６個）設けられている。
【００２２】
誘引空気吸込口１９は、長辺の長さＸ、短辺の長さＹ、開口面積Ｚを有する長方形の開口部であり、主筐体１２の外側面から内部空間方向へ連通させた送風路の開口として設けられている。また、誘引空気吸込口１９は、長辺が送風方向に平行になるよう、円周方向に等間隔に配置されている。なお、隣接する２つの誘引空気吸込口１９に挟まれる主筐体１２の側面を底面矩形部２３（図１の斜線領域）と定義し、以後の説明に供する。底面矩形部２３を更に詳しく定義すると、隣接する２つの誘引空気吸込口１９を構成する複数辺のうち、２つの誘引空気吸込口１９の間で隣接して対向する２辺を有してなる矩形領域とすることができる。
【００２３】
副筐体１３は、中空の円筒形をなしており、側面の下方にスリット状に開口されている吸込口１５が設けられている。
【００２４】
内部部材１４は、主筐体１２の中空の内部に挿入されている。また、内部部材１４の中心部には誘引空気吸込口１９を介して吸い込まれた空気が混合される誘引空気混合部２１が設けられている。また、送風方向（矢印５０）を上方とした際の上面には、内周壁５４で囲まれた円形の開口部である誘引空気吹出口１７を備えている。さらに、内部部材１４の上面には、内部部材１４の外周壁と主筐体１２の内周壁とで挟まれて構成される吹出口１８を備えている。なお、内部部材１４の、主筐体１２に挿入されている部分の詳細を以下に説明する。
【００２５】
図２は内部部材の上方斜視図である。図２に示すように、内部部材１４は、軸対称の鉢状体を成している。また、内部部材１４は、外周壁５５が下方（底面５３）から誘引空気吹出口１７に向かって直径が徐々に幅広に構成されている。つまり、外周壁５５は下方から上方にかけて円の中心から外側方向に傾斜が設けられている。この構成により、内部部材の外周壁５５と主筐体１２の内周とで構成される風路は、送風時には底面から吹出口１８にかけて圧力が高まる。また、内部部材１４には、６つの連通中空凸部１６が内部部材１４の外周壁５５の壁面から外周に向かって放射状に突出して設けられている。
【００２６】
連通中空凸部１６は、誘引空気吸込口１９と同様に、長辺の長さＸ、短辺の長さＹ、開口面積Ｚを有する長方形の開口部４０を有する中空部４１を備えている。開口部４０の周縁には接合面４３が設けられている。接合面４３は、内部部材１４の主筐体１２への挿入時に、主筐体１２の内壁であって誘引空気吸込口１９の周縁と密着するように構成されている。そして、中空部４１によって、連通中空凸部１６は誘引空気混合部２１に連通する。
【００２７】
図３は内部部材の下方斜視図である。図３に示すように、内部部材１４の外周側の底面５３には、中心部に円筒状の窪地５２が設けられている。窪地５２には、高圧空気発生手段を構成するモータが固定されるが詳細は後述する。
【００２８】
図４は、図２におけるＡ−Ａ’を通り送風方向５０に平行な面で切断した際の断面図である。図４に示すように、内部部材１４の内周側であって中空部４１で挟まれた位置には、内周壁から誘引空気混合部２１に向けて突出した内周凸部４４が設けられている。内周凸部４４は、中空部４１の上端近傍から内部部材１４の内部底面まで垂直に延設されている。
【００２９】
また、内部部材１４は、内周壁５４が開口部４０の上端から誘引空気吹出口１７に向かって直径が徐々に幅広に構成されている。つまり、内周壁５４は下方から上方にかけて円の中心から外側方向に傾斜５６が設けられている。
【００３０】
図５は送風装置を上面側から見た図である。図５に示すように、送風装置１１は、主筐体１２の中空の内部に内部部材１４が挿入されている。そして、内部部材１４の送風方向の中心軸は、主筐体１２の送風方向の中心軸と一致している。また、内部部材１４の内周壁５４が、内部部材１４の円形の開口部から下方（底面５３）に向かって、中心軸方向へ内側に張り出すように構成されている。さらに、６つの連通中空凸部１６は６つの誘引空気吸込口１９にそれぞれ接続されて、誘引空気吸込口１９と誘引空気混合部２１が連通する。ただし、図５において６つの連通中空凸部１６および６つの誘引空気吸込口１９に対して、図面の視認性を優先するために３つの指示線のみを描画している。
【００３１】
なお、矢印４２は、送風装置１１の外周から吸い込まれて誘引空気混合部２１にて混合されるまでの、誘引風の通り道を示している。
【００３２】
図６は送風装置を下面側から見た図である。図６に示すように、副筐体１３の底面には、スリット状に開口されている底面吸込口４５が設けられている。
【００３３】
以上が、主筐体１２、副筐体１３、内部部材１４の詳細構造である、これらを組み合わせることにより、第一風路と第二風路とが形成される。すなわち、主筐体１２の内周壁と副筐体１３の内周壁と内部部材１４の外周壁および連通中空凸部１６の外周壁によって囲まれる領域によって、吸込口１５および底面吸込口４５から吹出口１８までを連通する第一風路が構成される。また、誘引空気吸込口１９と中空凸部１６の内周壁（中空部４１）、および内部部材１４の内壁により、誘引空気吸込口１９から、誘引空気混合部２１を経由して誘引空気吹出口１７に連通する第二風路が構成される。
【００３４】
なお、第一風路と第二風路は、互いに空気の往来が無く、すなわちそれぞれ独立に構成されている。各送風路の形状については、後ほど他の図面を用いて詳細に説明する。
【００３５】
続いて、図７を参照しながら調節手段であるカバーの詳細について説明する、なお、図７は調節手段の斜視図である。
【００３６】
図７に示すように、カバー２０（調節手段）は中空円筒状に構成されており、円筒形の側壁部の厚みは、凹部５１の凹み部分を補完する厚み、つまり、主筐体１２の壁面の厚みの約半分程度の厚みを有している。
【００３７】
また、カバー２０の側面には、誘引空気吸込口１９の開口面積Ｚ以上であり、かつ開口面積Ｚと、底面矩形部２３の表面積との合計よりは小さいカバー開口部２４が、カバー２０の円周方向に等間隔に誘引空気吸込口１９と同数個（本実施の形態１では６個）設けられている。
【００３８】
図８は、誘引空気吸込口を閉塞していない場合の送風装置の斜視図である。図８では、送風装置１１は、凹部５１の段差でカバー２０を挟み込んで装着し、カバー開口部２４が誘引空気混合部２１に連通するように構成されている。カバー２０が誘引空気吸込口１９を閉塞していない場合とは、カバー開口部２４が誘引空気吸込口１９に被らない位置に配される場合を指す。この状態では、誘引空気吸込口１９の開口面積Ｚ全てが誘引空気の吸い込みに利用される。
【００３９】
図９は、誘引空気吸込口を閉塞した場合の送風装置の斜視図である。図９に示すように、カバー２０は、誘引空気吸込口１９を覆いながら誘引空気吹出口１７と同心円上にスライドして可動するものであり、誘引空気吸込口１９の一部を閉塞する位置に移動させることができる。また、上記構成により、カバー２０をスライドさせた場合には、各誘引空気吸込口１９を同一面積ずつそれぞれ同時に閉塞することができる。
【００４０】
図９では、カバー２０は各誘引空気吸込口１９の約３割を閉鎖している。なお、カバー開口部２４の面積は、誘引空気吸込口１９の開口面積Ｚ以上であるが、開口面積Ｚと底面矩形部２３の表面積との合計よりは小さい。つまり、カバー２０をどの位置に移動させても、誘引空気吸込口１９を完全に閉塞させてしまうことは無い。
【００４１】
次に、図１０および図１１を参照しながら、送風装置１１の動作原理について説明する。なお、図１０は送風装置の断面図、図１１は誘引空気吸込口を閉塞していない場合と閉塞した場合の吹出風の模式図である。ただし、ここで言う閉塞とは、１００％誘引風を遮断することではなく、誘引空気吸込口１９の一部を遮断することを指し、以下の説明においても同様である。
【００４２】
図１０に示すように、副筐体１３内の吸込口１５周辺には、高圧空気２５を発生させる羽根車２６および羽根車２６を回転させるモータ２７によって構成される高圧空気発生手段２８を備えている。モータ２７は内部部材１４の窪地５２に固定されている。
【００４３】
上述した構成において、図１０に示すように、高圧空気発生手段２８を稼動することによって生じる高圧空気２５は、吸込口１５および底面吸込口４５から高圧空気発生手段２８を経由して吹出口１８まで連通する第一風路を流れる。つまり、図１０において、高圧空気２５の流れを示す風路であって、送風装置１１内の部分が前述の第一風路となる。
【００４４】
誘引空気３１は、吹出口１８から排出される高圧空気２５に誘引されて誘引空気吸込口１９から送風装置１１内に取り入れられる。そして誘引空気３１は、誘引空気吸込口１９から誘引空気混合部２１を経由して誘引空気吹出口１７まで連通する第二風路を流れ、誘引空気吹出口１７から排出される。つまり、図１０において、誘引空気３１の流れを示す風路であって、送風装置１１内の部分が前述の第二風路となる。なお、この際に、本実施の形態では、内周凸部４４が設けられているが、この内周凸部４４によって複数の誘引空気３１の互いの干渉を遮って誘引空気３１を誘引空気混合部２１に集めることができるので、送風性能の向上が期待できる。
【００４５】
上記に示した送風装置１１の動作状態において、カバー２０を用いて誘引空気吸込口１９の開口面積を変更し、誘引空気混合部２１に流入する空気量を変化させることで、第二風路および誘引空気吹出口１７の下流の領域３２の圧力を調節することが可能になる。
【００４６】
また、誘引空気吹出口１７から吹出す高圧空気２５は、第二風路および誘引空気吹出口１７の下流の領域３２の圧力に影響を受けて流れの方向が変化する。
【００４７】
すなわち、誘引空気混合部２１および誘引空気吹出口１７に流入する空気量を調整することで、高圧空気２５の流れを変化させることが可能になる。そして、これによって高圧空気２５と誘引空気３１が合わさった吹出風３３の方向を変化させることが可能になる。
【００４８】
図１１（ａ）は、誘引空気吸込口を閉塞していない場合の送風装置の吹出風の流れの模式図である。図１１（ａ）のように、全ての誘引空気吸込口１９を一切閉塞していない場合には、引空気吹出口１７から吹出す高圧空気２５は、吹出口１８の向きと同一方向にほぼ真っ直ぐに流れる。その為、吹出風３３も吹出口１８の向きと同一方向にほぼ真っ直ぐに流れる。
【００４９】
しかし、ここで、図９で説明したように、全ての誘引空気吸込口１９において、誘引空気吸込口１９の合計の開口面積を小さくすることで、誘引空気混合部２１に流入する空気量を減少させる。それによって、第二風路および誘引空気吹出口１７の下流の領域３２の圧力が低下する。その結果、図１１（ｂ）のように、誘引空気吹出口１７から吹出す高圧空気２５は、その圧力が低い領域に引き寄せられて、気流同士が衝突点３４において衝突し、その後下流方向に向けて分散して流れる。なお、図１１（ｂ）は、誘引空気吸込口を閉塞した場合の送風装置の吹出風の流れの模式図である。
【００５０】
上記により、吹出風３３は、衝突点３４よりも上流領域では衝突点３４に近づくにつれて一点に集中するような気流に変化する。その一方で、衝突点３４よりも下流領域では衝突点３４から離れるにつれて拡がった気流に変化する。
【００５１】
その結果、使用者が衝突点３４よりも上流にいる場合、すなわち使用者が送風装置１１から近い場合は、使用者が一点に集中するような流速を高めた吹出風３３を享受することが可能になる。その一方で、使用者が衝突点３４よりも下流にいる場合、すなわち使用者が送風装置１１から遠い場合は、受風面における吹出風の流速がより均一になり、なおかつ受風域が拡がる。この現象によって、送風装置１１を大型化させることなく、より多くの使用者が優しい吹出風３３を享受することができる。
【００５２】
ところで、誘引空気吸込口１９の開口面積の合計が、誘引空気吹出口１７の開口面積と比較して小さくなればなるほど、領域３２の圧力は低下して、衝突点３４がより送風装置に近い位置に移動する。つまり、高圧空気２５が領域３２に流れ込むよう急激に曲げられて気流同士が衝突してしまうゆえ、この衝突による損失が大きくなってしまう。その結果、流速だけでなく、流量も悪化してしまう。そのため、流速および流量の両者が悪化してしまわないように、誘引空気吸込口１９の開口面積が常に誘引空気吹出口１７の開口面積と同等以上２倍程度以下にすることが望ましい。
【００５３】
本実施の形態では、誘引空気吸込口１９を６つ設けており、これらの合計の開口面積は、カバー２０によって誘引空気吸込口１９を一切閉塞していない場合には誘引空気吹出口１７の開口面積の１．５倍程度になるように設定している。また、カバー２０によって誘引空気吸込口１９を閉塞している場合には、誘引空気吹出口１７の開口面積と同等程度になるように設定している。
【００５４】
これにより、十分な流速を得ながら、しかも流量を減らすことの無い送風装置とすることができる。
【００５５】
また、本実施の形態では、副筐体１３の側面と底面にそれぞれ吸込口１５および底面吸込口４５を設けている。しかしながら、底面には必ずしも底面吸込口４５を設ける必要は無い。
【００５６】
また、本実施の形態では、円形のスリット状に吹出口１８を設けているが、誘引空気吹出口１７が吹出口１８の内側に位置するように設けられていれば、吹出口１８の形状に特に制限は無い。
【００５７】
また、本実施の形態では、カバー２０の移動を誘引空気吹出口１７と同心円上に手動で行うように設けているが、カバー２０の可動する範囲および可動方法に特に指定は無い。
【００５８】
また、本実施の形態では、内周凸部４４が設けられているが、この内周凸部４４によって複数の誘引空気３１の互いの干渉を遮っている。つまり、誘引空気３１を誘引空気混合部２１に集めることができるので、送風性能の向上が期待できる。
【００５９】
（実施の形態２）
以下、本発明の実施の形態２について、図１２および図１３を参照しながらその構成の詳細を説明する。なお、図１２は誘引空気吸込口を閉塞していない場合のリブを誘引空気吸込口周辺に設けた送風装置の斜視図、図１３は誘引空気吸込口を３割程度閉塞した場合のリブを誘引空気吸込口周辺に設けた送風装置の斜視図である。
【００６０】
図１２および図１３のように、送風装置１１には、カバー２０が誘引空気吸込口１９の開口面積を一切閉塞しない場合のカバー２０の位置を定める第１リブ３５と、誘引空気吸込口１９の開口面積を最大限閉塞する場合のカバー２０の位置を定める第２リブ３６がそれぞれ設けられている。
【００６１】
第１リブ３５は誘引空気吸込口１９の上周部かつ円周方向における端部付近に、第２リブ３６は誘引空気吸込口１９の上周部かつ円周方向における中心部付近にそれぞれ位置している。また、第１リブ３５、第２リブ３６共に、主筐体１２の円周方向に等間隔に誘引空気吸込口１９と同数個（本実施の形態２では６個）ずつそれぞれ設けられている。
【００６２】
これによって、使用者が、送風装置１１の流速および流量の両者を悪化させてしまうような位置にカバー２０を移動して使用することを防止して、設計者が意図しているカバー２０の位置の範囲内に使用者が容易に定めることが可能になる。その結果、流速および流量の高さが両立した吹出風３３の性質を変更することが可能となる。
【００６３】
また、本実施の形態では、直方体状の第１のリブ３５および第２のリブ３６をそれぞれ６個ずつ誘引空気吸込口１９周辺の吹出口１８側に設けているが、第１のリブ３５および第２のリブ３６の形状や本数および設置場所に特に指定は無い。
【産業上の利用可能性】
【００６４】
本発明にかかる送風装置は、大型化させることなく従来よりも広範囲に送風できる送風装置を提供することを可能とするものである。
【符号の説明】
【００６５】
１１  送風装置
１２  主筐体
１３  副筐体
１４  内部部材
１５  吸込口
１６  連通中空凸部
１７  誘引空気吹出口
１８  吹出口
１９  誘引空気吸込口
２０  カバー
２１  誘引空気混合部
２３  底面矩形部
２４  カバー開口部
２５  高圧空気
２６  羽根車
２７  モータ
２８  高圧空気発生手段
３１  誘引空気
３２  領域
３３  吹出風
３４  衝突点
３５  第１リブ
３６  第２リブ
４０  開口部
４１  中空部
４２  矢印
４３  接合面
４４  内周凸部
４５  底面吸込口
５０  送風方向
５１  凹部
５２  窪地
５３  底面
５４  内周壁
５５  外周壁
【図１】
0006421322.tif 000002
【図２】
0006421322.tif 000003
【図３】
0006421322.tif 000004
【図４】
0006421322.tif 000005
【図５】
0006421322.tif 000006
【図６】
0006421322.tif 000007
【図７】
0006421322.tif 000008
【図８】
0006421322.tif 000009
【図９】
0006421322.tif 000010
【図１０】
0006421322.tif 000011
【図１１】
0006421322.tif 000012
【図１２】
0006421322.tif 000013
【図１３】
0006421322.tif 000014
【図１４】
0006421322.tif 000015
【図１５】
0006421322.tif 000016